(57)【要約】      （修正有）【課題】チェーンと帯状体のみで簡易に製造が可能であり、帯状体の交換も自在に行える服飾品を提供する。【解決手段】複数の孔を有する服飾用の帯状レース生地２と、チェーン３と、を備える服飾品１であって、チェーン３が、帯状レース生地２の複数の孔を用いて帯状レース生地２の長手方向に沿って取り付けられていることを特徴とする。【選択図】図１
0003208455.tif 000002
【実用新案登録請求の範囲】
【請求項１】
複数の孔を有する服飾用の帯状体と、チェーンと、を備える服飾品であって、
前記チェーンが、前記帯状体の複数の孔を用いて帯状体の長手方向に沿って取り付けられていることを特徴とする、服飾品。
【請求項２】
前記チェーンは、前記帯状体の長手方向の一縁部に添って取り付けられていることを特徴とする、請求項１に記載の服飾品。
【請求項３】
前記チェーンは、前記帯状体に連結用リングを用いて取り付けられていることを特徴とする、請求項1又は２に記載の服飾品。
【請求項４】
前記チェーンは、前記帯状体の複数の孔を縫うようにして、その帯状体に挿通されていることを特徴とする、請求項１又は２に記載の服飾品。
【請求項５】
前記チェーンの両端の少なくとも一方には、他方に連結する連結部材が設けられていることを特徴とする、請求項１〜４の何れかに記載の服飾品。
【考案の詳細な説明】
【技術分野】
【０００１】
本考案は、チェーンに帯状体を取り付けた服飾品に関るものである。
【背景技術】
【０００２】
従来、チェーンを用いて、ネックレスやチョーカー等服飾品が多数作製されてきた。
【０００３】
特許文献１には、貴金属製ネット筒体に装飾チェーンを挿入したネックレスやブレスレット等の装身具が記載されている。この装飾チェーンは、貴金属製ネット筒体と異なる輝きを有する、多面カットされた小片を連続して形成されている。そのため、貴金属製ネット筒体の編み目からキラキラと乱反射して輝いて見え、豪華なネックレスやブレスレット等の装身具とすることができる。また、貴金属製ネット筒体は直径１〜３mm程度であるため、細めの上品な装身具を作ることができる。
【０００４】
非特許文献１には、帯状のレースの一端辺にビーズを連結させたチョーカーが掲載されている。
【先行技術文献】
【特許文献】
【０００５】
【特許文献１】特開２００２−１５３３０６号
【非特許文献】
【０００６】
【非特許文献１】［ｏｎｌｉｎｅ］、ＬＵＣＥ  ｃｌａｓｓｉｃａ  Ｏｎｌｉｎｅ  Ｓｈｏｐ、［平成２８年１０月１３日検索］、インターネット＜ＵＲＬ：ｈｔｔｐ://ｌｕｃｅ.ｓｈｏｐ−ｐｒｏ.ｊｐ/？ｐｉｄ＝１７９７４３５３＞
【考案の概要】
【考案が解決しようとする課題】
【０００７】
しかしながら、特許文献１に記載のネックレスは、製造に際し、貴金属線をネット筒体にする、小片を多面カットし連結させチェーンにする、といった細やかな作業が要求され、製造工程が複雑になる。
【０００８】
また、非特許文献１に掲載されているチョーカーは、両端に、環状にして連結するための長方形状の部材が必要であり、製造費用が高く付いてしまう。さらに、ビーズを直接レース生地に連結していることから、レース生地が汚れたり破損したりした際に、レース生地のみを交換することが困難である。
【０００９】
本考案は上記のような実状に鑑みてなされたものであり、チェーンと帯状体のみで簡易に製造が可能であり、帯状体の交換も自在に行える服飾品を提供することを課題とする。
【課題を解決するための手段】
【００１０】
上記課題を解決するために、本考案は、
複数の孔を有する服飾用の帯状体と、チェーンと、を備える服飾品であって、
前記チェーンが、前記帯状体の複数の孔を用いて帯状体の長手方向に沿って取り付けられていることを特徴とする。
【００１１】
このような構成とすれば、チェーンの両端を結合させる、または両端の内少なくとも一端を他の服飾品と結合させることでネックレスやチョーカー、ブレスレット、バッグアクセサリー等様々な服飾品として使用できる。また、帯状体を破損させることなく、チェーンを取り外すことができ、帯状体の交換も自在に行うことができる。
【００１２】
本考案の好ましい形態では、前記チェーンは、前記帯状体の長手方向の一縁部に添って取り付けられていることを特徴とする。このような構成とすることで、帯状体とチェーンの上下関係が決定されるため、服飾品を取り付ける際に、帯状体が折れ曲がることがない。
【００１３】
本考案の好ましい形態では、前記チェーンは、前記帯状体に連結用リングを用いて取り付けられていることを特徴とする。このような構成とすると、帯状体の複数の孔の内、任意の数箇所に連結用リングを取り付けることで、服飾品として使用できるため、製造が容易になる。
【００１４】
本考案の好ましい形態では、前記チェーンは、前記帯状体の複数の孔を縫うようにして、その帯状体に挿通されていることを特徴とする。このような構成とすることで、チェーンの一端を掴み、長手方向に引っ張ることで、容易に、チェーンを帯状体から取り外すことができる。
【００１５】
本考案の好ましい形態では、前記チェーンの両端の少なくとも一方には、他方に連結する連結部材が設けられていることを特徴とする。このような構成とすることで、服飾品の首や腕、鞄等への着脱が容易になる。
【考案の効果】
【００１６】
本考案によれば、チェーンと帯状体のみで簡易に製造が可能であり、帯状体の交換も自在に行える服飾品を提供することができる。
【図面の簡単な説明】
【００１７】
【図１】本考案の実施形態１に関る服飾品の正面図である。
【図２】本考案の実施形態１に関る服飾品の部分拡大正面図である。
【図３】本考案の実施形態１に関る服飾品の使用例である。
【図４】本考案の実施形態２に関る服飾品の正面図である。
【図５】本考案の実施形態２に関る服飾品の部分拡大正面図である。
【考案を実施するための形態】
【００１８】
以下の実施形態１及び２では、帯状体としてレース生地を用いた例を示している。レース生地とは透かし模様の刺繍を施した生地であり、この透かし模様により形成される孔を利用してチェーンを取り付けている。
【００１９】
他に、帯状体としてシルク生地やコットン生地、レザー生地等様々な生地を用いることが可能である。この場合、長手方向に複数箇所、チェーンを取り付けるための孔を設けておく必要がある。また、チェーンの材質は、金属や樹脂、プラスチック等が考えられる。
【００２０】
＜実施形態１＞
以下、図１乃至図３を用いて、本考案の実施形態１に関る服飾品１について説明する。
【００２１】
実施形態１では、帯状レース生地２が、帯状レース生地２の長手方向に沿ってかつ帯状レース生地２の透かし模様により形成される孔を介して、チェーン３に設けられた連結用リング４により引っ掛けられている。引っ掛けられている位置は、帯状レース生地２の長手方向の一縁部である。また、引っ掛ける箇所は、両端の２箇所の孔のみであっても良く、特に限定されない。また、取り付けるチェーン３は必ずしも１本に限る必要はなく、帯状レース生地２の長手方向の両縁部にそれぞれ１本ずつ取り付けるような構成にしても良い。
【００２２】
帯状レース生地２は、樹脂製の薄い帯状体を打ち抜くことでレース状に加工したものであっても良い。
【００２３】
チェーン３には、チェーン３を構成する単一のリング４つにつき１つの連結用リング４が設けられている。また、連結用リング４には、帯状レース生地２の着脱を行うための隙間が形成されている。連結用リング４を設ける間隔や設ける数は特に限定されない。また、チェーン３を構成する単一のリングを、着脱を行うための隙間を形成することで連結用リング４とし、帯状レース生地２に取り付けても良い。
【００２４】
チェーン３の一端には、他端に連結するための連結部材５が設けられている。連結部材５による連結手段の例として、リング状の連結部材５にレバー等を設けて、外力により隙間を形成することができるようにしておき、この隙間を利用して、他端のリングと連結させる、といった手段が考えられる。このような連結手段を行う連結部材５を、チェーン３の両端に設けても良い。他に、両端に磁力を有する部材を取り付け、磁力により連結する連結手段等であっても良い。また、連結部材５を設けずに、チェーン３を結ぶことで輪状にしても良い。
【００２５】
図３は、実施形態１に関わる服飾品１をネックレスとして使用した例である。(ａ)、(ｂ)は斜視図、(ｃ)は連結部の拡大図である。この他にチョーカーやブレスレット、バッグアクセサリー等様々な服飾品として使用することが可能である。また、服飾品１は必ずしも輪状にして使用する必要はなく、帯状のまま使用しても良い。
【００２６】
本実施形態によれば、チェーン３を、帯状レース生地２の長手方向に沿ってかつ帯状レース生地２の透かし模様により形成される孔を介して、帯状レース生地２に引っ掛ける作業のみで服飾品１が製造できる。また、帯状レース生地２から連結用リング４を取り外すことで、帯状レース生地２の交換を行うことができる。
【００２７】
また、帯状レース生地２の長手方向の一縁部に添って取り付けることで、帯状レース生地２とチェーン３の上下関係が決定されるため、服飾品１を取り付ける際に、帯状レース生地２が折れ曲がることがない。
【００２８】
また、連結用リング４を、帯状レース生地２の複数の孔の内、任意の数箇所に引っ掛けることで、服飾品１として使用できるため、製造が容易になる。
【００２９】
また、チェーン３の一端に、他端と連結するための連結部材５を設けることで、服飾品１の、首や腕への着脱が容易になる。
【００３０】
＜実施形態２＞
以下、図４及び図５を用いて、本考案の実施形態２に関る服飾品１について説明する。なお、同実施形態において、先の実施形態と基本的に同一の構成要素については、同一符号を付してその説明を簡略化する。
【００３１】
実施形態２では、帯状レース生地２の長手方向に沿って、帯状レース生地２の複数の孔を縫うようにして、チェーン３が挿通されている。
【００３２】
本実施形態にように、帯状レース生地２の長手方向に沿って、帯状レース生地２が有する複数の孔を縫うようにして、チェーン３を挿通させる作業のみで服飾品１が製造できる。また、チェーン３の一端を掴み、長手方向に引っ張ることで、容易に、チェーン３を帯状レース生地２から取り外すことができ、帯状レース生地２の交換を行うことができる。
【００３３】
なお、前記実施形態において示した各構成部材の諸形状や寸法等は一例であって、設計要求等に基づき種々変更可能である。
【符号の説明】
【００３４】
１    服飾品
２    帯状レース生地
３    チェーン
４    連結用リング
５    連結部材
【図１】
0003208455.tif 000003
【図２】
0003208455.tif 000004
【図３】
0003208455.tif 000005
【図４】
0003208455.tif 000006
【図５】
0003208455.tif 000007